(57)【要約】【課題】壁スイッチの取付工事が不要で施工性の向上及び工期の短縮が図れるシャッターを提供する。【解決手段】建物の開口に設けられる上枠２ａ、下枠２ｂ及び左右の縦枠２ｃ，２ｃからなる枠体２と、その上枠２ａ上に設けられシャッターカーテン３を巻き上げ下げする電動式のシャッター本体４を収容したシャッターボックス５と、縦枠２ｃ，２ｃの前部に設けられシャッターカーテン３を開閉自在に案内するガイドレール６，６とを備え、シャッター本体４の近傍には開閉切替え用のスイッチ８が設けられ、スイッチ８にはこれを切替え操作するための操作部材９が伝達部材１０を介して連結され、縦枠２ｃとガイドレール６の間には空間部２１が形成され、該空間部２１に伝達部材１０を挿通させて操作部材９を室内側に設けている。【選択図】          図４
2004169273.tif 000002
【特許請求の範囲】
【請求項１】
建物の開口に設けられる上枠、下枠及び左右の縦枠からなる枠体と、その上枠上に設けられシャッターカーテンを巻き上げ下げする電動式のシャッター本体を収容したシャッターボックスと、前記縦枠の前部に設けられシャッターカーテンを開閉自在に案内するガイドレールとを備え、前記シャッター本体の近傍には開閉切替え用のスイッチが設けられ、該スイッチにはこれを切替え操作するための操作部材が伝達部材を介して連結され、前記縦枠とガイドレールの間には空間部が形成され、該空間部に前記伝達部材を挿通させて前記操作部材を室内側に設けたことを特徴とするシャッター。
【発明の詳細な説明】
【０００１】
【発明の属する技術分野】
本発明は、シャッターに係り、特に壁スイッチの取付工事を不要にしたシャッターに関する。
【０００２】
【従来の技術】
従来のシャッターとしては、建物の開口に設けられる上枠、下枠及び左右の縦枠からなる枠体と、その上枠上に設けられシャッターカーテンを巻き上げ下げする電動式のシャッター本体を収容したシャッターボックスと、前記縦枠の前部に設けられシャッターカーテンを開閉自在に案内するガイドレールとを備えた電動式のシャッターが知られている（例えば、特開平９−３１７３５２号公報参照）。この種のシャッターは、前記シャッター本体から電源ケーブルを介して引き出された開閉切替え用の壁スイッチを室内の壁に取付けるように構成されている。
【０００３】
【特許文献１】
特開平９−３１７３５２号公報
【０００４】
【発明が解決しようとする課題】
しかしながら、前記シャッターにおいては、壁スイッチを有している構造上、建物の内装工事を仕上げてからでないと壁スイッチの取付工事を行うことできず、また、壁スイッチの取付けには壁内部への電源ケーブルの挿通作業や壁に穴を開けて壁スイッチを取付ける作業等を要し、施工が大変で工期もかかるという問題があった。
【０００５】
本発明は、前記事情を考慮してなされたもので、壁スイッチの取付工事が不要で施工性の向上及び工期の短縮が図れるシャッターを提供することを目的とする。
【０００６】
【課題を解決するための手段】
本発明は、建物の開口に設けられる上枠、下枠及び左右の縦枠からなる枠体と、その上枠上に設けられシャッターカーテンを巻き上げ下げする電動式のシャッター本体を収容したシャッターボックスと、前記縦枠の前部に設けられシャッターカーテンを開閉自在に案内するガイドレールとを備え、前記シャッター本体の近傍には開閉切替え用のスイッチが設けられ、該スイッチにはこれを切替え操作するための操作部材が伝達部材を介して連結され、前記縦枠とガイドレールの間には空間部を有し、縦枠は中空構造とされ、前記スイッチからの伝達部材を前記空間部及び縦枠の中空部に挿通させて前記操作部材を室内側に設けたことを特徴とする。
【０００７】
【発明の実施の形態】
以下に、本発明の実施の形態を添付図面に基いて詳述する。図１は本発明の実施の形態を示すシャッターの要部縦断面図、図２は同シャターの概略的分解斜視図、図３は図１のＡ−Ａ矢視概略的断面図、図４は図１のＢ−Ｂ矢視概略的断面図、図５はシャッター本体の駆動部の一例を示す斜視図である。
【０００８】
図１〜図４において、１は電動式のシャッターで、建物の開口に設けられる上枠２ａ、下枠２ｂ及び左右の縦枠２ｃ，２ｃからなる枠体２と、その上枠２ａ上に設けられシャッターカーテン（スラットとも言う）３を巻き上げ下げ（巻上げ、巻降ろし）する電動式のシャッター本体４を収容したシャッターボックス５と、前記縦枠２ｃ、２ｃの前部に設けられシャッターカーテン３を開閉自在に案内するガイドレール６，６とを備えている。
【０００９】
前記枠体２は、シャッター枠と共にサッシ枠を構成しており、この枠体２内には内外の障子７ａ，７ｂが引違い状に開閉自在に取付けられている。すなわち、図示例のシャッター１はサッシと一体に構成されており、シャッターサッシともいう。サッシとしては、欄間付サッシであっても良い。また、前記左右の縦枠２ｃ，２ｃは、上枠２ａよりも上方に延長されており、左右の縦枠２ｃ，２ｃの上端部間にはシャッターボックス５の頂部を構成する頂部枠２ｄが掛け渡されている。
【００１０】
前記シャッター本体４の近傍には、開閉切替え用のスイッチ８が設けられ、このスイッチ８にはこれを切替え操作するための操作部材９が伝達部材１０を介して連結されている。この場合、前記縦枠２ｃは中空構造（ホロー構造）、すなわち上下方向に連通した中空部（ホロー部）２０を有する構造とされていると共に、縦枠２ｃとガイドレール６の間には上下方向に連通した空間部２１が形成されている。前記中空部２０は、図示例では仕切壁２２を介して前後に仕切られた前側中空部２０ａと後側中空部２０ｂとからなっている。縦枠２ｃは、内壁部２３、外壁部２４、前壁部２５及び後壁部２６を有し、外壁部２４の前端部には断面Ｌ字状の係止受部２７が、内壁部２３の前端部には面内方向に折れ曲がり更に前方へ折れ曲がった係合受部２８がそれぞれ設けられている。ガイドレール６には、前記係止受部２７に係止される係止部２９と、前記係合受部２８に係合されてネジ止めされる係合片部３０とがそれぞれ設けられている。これら２７，２８，２９，３０により前記空間部２１が区画形成されている。
【００１１】
シャッター本体４は、例えば図５に示すように、電動モータを内蔵したモータチューブ１１を有し、このモータチューブ１１の一端から突出したモータ出力軸（回転軸）１２にアダプタ１３を介してシャッターカーテン３の筒状の巻取りシャフト１４が嵌合連結されている。通常動作時には、アダプタ１３が回転することにより巻取りシャフト１４が回転し、シャッターカーテン３の巻上げ、巻降ろしが行われる。前記モータチューブ１１の他端は支持枠１５に連結され、例えばこの支持枠に１５に前記スイッチ８が設けられている。なお、シャッター本体４の構成はこれに限定されるものではなく、スイッチ８はシャッター本体４の近傍に設けられていれば良い。
【００１２】
前記伝達部材１０として、本実施例では可撓性を有し、曲線状に曲げても回動ないし回転を伝達できるワイヤが用いられている。前記シャッター本体４近傍の開閉切替え用のスイッチ８にはこれを切替え操作する伝達部材１０の一端（上端部）が連結され、縦枠２ｃの室内側内側面に設けられた操作部材９に伝達部材の他端（下端部）が連結されている。
【００１３】
前記伝達部材１０は、シャッター本体４側とサッシ枠（枠体）２側を仕切る上枠２ａの近傍で上部伝達部材（シャッター本体側伝達部材）１０ａと、下部伝達部材（サッシ枠側伝達部材）１０ｂとに分割され、その分割端部が接続部材３８を介して着脱可能に接続されている。これにより、シャッター１の組立作業及び伝達部材１０の配線作業が容易にでき、組立性、施工性及びメンテナンス性の向上が図られている。
【００１４】
前記一方の縦枠２ｃとガイドレール６の間の空間部２１に前記シャッター本体４からの伝達部材１０がシャッターボックス５内側から直接挿通されており、操作部材９が室内側に設けられている。更に具体的には、伝達部材１０は空間部２１の途中から中空部２０ａ，２０ｂを斜めに横切って室内側に導かれており、その下端部が操作部材９に連結されている。すなわち、縦枠２ｃには、伝達部材１０を室内側斜め下方に挿通して導くために前壁部２５と仕切壁２２に縦長の開口部３１，３２がそれぞれ設けられ、内壁部２３の下方に中空部２０ｂと連通する縦長の開口部３３が設けられている。このように開口部３１，３２，３３を上下方向に長い縦長とすることにより、ワイヤからなる伝達部材１０を室外側上方から室内側下方へ斜めに容易に挿通配線することができると共に伝達部材１０の回動を許容し得るようになっている。
【００１５】
前記開口部３１，３２の間には、伝達部材１０の引っ掛りを無くすために、両端が開口された合成樹脂製の箱状のガイド部材３４を取付けても良い。ガイド部材３４の室外側の端部には全面が開口した入口３４ａが設けられ、室内側の端部には下方が開口した出口３４ｂが設けられている。なお、前記開口部３１，３２の間には、図７に示すように伝達部材１０のガイドのために室外側前面と室内側下面が入口３４ａ’，出口３４ｂ’として開口された合成樹脂製の箱状のガイド部材３４’を取付けて、伝達部材１０を室内側下方から室外側上方へ斜めに容易に挿通配線することができると共に伝達部材１０の回動を許容し得るようにしても良い。
【００１６】
操作部材９は、一方の縦枠２ｃにおける外障子７ｂよりも室内側の内側面（内壁部２３）に設けられている。操作部材９は、ケース本体９ａの正面に操作ダイヤル９ｂを回動自在に設けてなり、前記操作部材９のケース本体９ａは前記開口部３３を塞ぐべく縦枠２ｃの内側面にネジで取付固定されている。前記ケース本体９ａ内には、操作ダイヤル９ｂの後端部にウォーム３５ａが設けられ、このウォーム３５ａに噛合するウォームホィール３５ｂが回動自在に設けられ、このウォームホィール３５ｂの上端軸心部に前記伝達部材１０の下端部が連結されている。なお、操作部材９の構成は、ウォーム、ウォームホィールの組み合わせに限定されるものではなく、一対の傘歯車または一対のねじ歯車の組み合わせであっても良い。
【００１７】
上枠２ａの下面には内障子用と外障子用の内外のレール３７ａ，３７ｂが設けられ、その内レール３７ａ側の一側（図４の図示例で左側）には、内障子用のストッパー（図示省略）が設けられている。前記操作部材９は内障子用のストッパーと同じ側に配置され、内障子７ａの開移動がストッパーで規制されることにより内障子７ａと操作部材９とが干渉しないようになっている。また、操作部材９は閉鎖時の外障子７ｂよりも室内側に外障子７ｂと干渉しないように設けられている。図中、４０は縦枠２ｃの室内側縁部に設けられたアングル部である。
【００１８】
以上の構成からなるシャッター１においては、シャッター１を建物の躯体に取付けたなら、モータヘッド１５から引き出されている電源ケーブル（図示省略）を建物の躯体側に導いておけば、電気工事の際に電源ケーブルを電源に接続するだけで良く、壁スイッチの工事を一切必要としない。すなわち、壁スイッチを備えていないため、内装の仕上げを待つ必要が無く、シャッター１を取付けるだけでシャッター１の取付工事が完了し、壁スイッチの工事を要しないので、施工性の向上及び工期の短縮が図れる。
【００１９】
すなわち、前記シャッター１によれば、建物の開口に設けられる上枠２ａ、下枠２ｂ及び左右の縦枠２ｃ，２ｃからなる枠体２と、その上枠２ａ上に設けられシャッターカーテン３を巻き上げ下げする電動式のシャッター本体４を収容したシャッターボックス５と、前記縦枠２ｃ，２ｃの前部に設けられシャッターカーテン３を開閉自在に案内するガイドレール６，６とを備え、前記シャッター本体４の近傍には開閉切替え用のスイッチ８が設けられ、該スイッチ８にはこれを切替え操作するための操作部材９が伝達部材１０を介して連結され、前記縦枠２ｃとガイドレール６の間には空間部２１が形成され、該空間部２１に前記伝達部材１０を挿通させて前記操作部材９を室内側に設けているため、室内側からシャッター本体４近傍のスイッチ８の切替え操作を容易に行うことが可能となり、従来の電動式シャッターと異なり壁スイッチを要しないので、壁スイッチの取付工事が不要となり、施工性の向上及び工期の短縮が図れる。
【００２０】
具体的には、縦枠２ｃとガイドレール６の間の空間部２１及び縦枠２ｃの中空部２０（２０ａ，２０ｂ）を通って伝達部材１０が配置ないし配線されているので、伝達部材１０が人目に触れることが無く、見栄えが良く、意匠性の向上が図れる。また、伝達部材１０として、ワイヤが用いられているため、配線作業が容易にでき、作業性の向上が図れる。
【００２１】
以上、本発明の実施の形態を図面により詳述してきたが、本発明は前記実施の形態に限定されるものではなく、本発明の要旨を逸脱しない範囲での種々の設計変更等が可能である。例えば、前記実施例では、サッシ枠とシャッター枠が一体のシャッターが例示されているが、本発明のシャッターとしては、サッシ枠とシャッター枠が別体に構成されていても良い。
【００２２】
操作部材９として、前記実施例では操作ダイヤルを有するものが例示されているが、操作部材としてはこれに限定されるものではなく、例えば図６に示すように操作棒９ｄを有するもの、或いは操作棒からなるものであっても良い。本体ケース９ａには垂直軸回りに回動可能な回動部材３６が設けられ、この回動部材３６の上部軸心部には前記伝達部材１０の下端部が連結され、回動部材３６の下部軸心部には操作棒９ｄの上端部が連結されている。操作棒９ｄは簡単に取外せるように着脱自在に取付けられていても良い。前記操作棒９ｄを回動することにより伝達部材及び切替え部材を介してスイッチを切替え操作することができる。
【００２３】
【発明の効果】
以上要するに本発明によれば、建物の開口に設けられる上枠、下枠及び左右の縦枠からなる枠体と、その上枠上に設けられシャッターカーテンを巻き上げ下げする電動式のシャッター本体を収容したシャッターボックスと、前記縦枠の前部に設けられシャッターカーテンを開閉自在に案内するガイドレールとを備え、前記シャッター本体の近傍には開閉切替え用のスイッチが設けられ、該スイッチにはこれを切替え操作するための操作部材が伝達部材を介して連結され、前記縦枠とガイドレールの間には空間部が形成され、該空間部に前記伝達部材を挿通させて前記操作部材を室内側に設けているため、室内側からシャッター本体近傍のスイッチの切替え操作を容易に行うことが可能となり、従来の電動式シャッターと異なり壁スイッチを要しないので、壁スイッチの取付工事が不要となり、施工性の向上及び工期の短縮が図れる。
【図面の簡単な説明】
【図１】本発明の実施の形態を示すシャッターの要部縦面図である。
【図２】同シャターの概略的分解斜視図である。
【図３】図１のＡ−Ａ矢視概略的断面図である。
【図４】図１のＢ−Ｂ矢視概略的断面図である。
【図５】シャッター本体の駆動部の一例を示す斜視図である。
【図６】操作部材の変形例を示す斜視図である。
【図７】ガイド部材の変形例を示すシャッターの要部断面図である。
【符号の説明】
１  シャッター
２  枠体
２ａ  上枠
２ｂ  下枠
２ｃ  縦枠
３  シャッターカーテン
４  シャッター本体
５  シャッターボックス
６  ガイドレール
８  スイッチ
９  操作部材
１０  伝達部材
２１  空間部
【図１】
2004169273.tif 000003
【図２】
2004169273.tif 000004
【図３】
2004169273.tif 000005
【図４】
2004169273.tif 000006
【図５】
2004169273.tif 000007
【図６】
2004169273.tif 000008
【図７】
2004169273.tif 000009